(57)【特許請求の範囲】
【請求項１】
側壁と上壁により区画された収容空間を有するとともに、前記収容空間に空気が流入する吸込口と、熱交換された空気を排出する吹出口と、を有するケーシングと、
前記ケーシングの前記収容空間に配置され、前記吸込口から吸込まれた空気を昇圧して送り出すファンと、
前記ファンの外周側に配置されると共に前記ファンにより送り出された空気を加熱または冷却する熱交換器と、を備え、
前記ケーシングの前記側壁は、前記熱交換器を取り囲むように矩形に形成されることで、４つの角部を有し、
少なくとも１つの前記角部のみに、圧力変化緩和部材が設けられ、
前記圧力変化緩和部材は、
前記角部を埋める傾斜体からなり、
前記傾斜体は、前記熱交換器に対向する面の面積が、前記上壁から離れるのにしたがって小さくなる、
ことを特徴とする空調用室内ユニット。
【請求項２】
前記傾斜体からなる圧力緩和部材は、
前記角部の不均一な圧力場を前記ファンが通過することによる前記ファンにとっての周囲の圧力変化を緩和して、ＮＺ音を抑制する、
請求項１に記載の空調用室内ユニット。
【請求項３】
前記傾斜体からなる圧力緩和部材は、
前記ケーシングの高さ方向の全域にわたって設けられる、
請求項１又は請求項２に記載の空調用室内ユニット。
【請求項４】
側壁と上壁により区画された収容空間を有するとともに、前記収容空間に空気が流入する吸込口と、熱交換された空気を排出する吹出口と、を有するケーシングと、
前記ケーシングの前記収容空間に配置され、前記吸込口から吸込まれた空気を昇圧して送り出すファンと、
前記ファンの外周側に配置されると共に前記ファンにより送り出された空気を加熱または冷却する熱交換器と、を備え、
前記ケーシングの前記側壁は、前記熱交換器を取り囲むように矩形に形成されることで、４つの角部を有し、
少なくとも１つの前記角部のみに、圧力変化緩和部材が設けられ、
前記圧力変化緩和部材は、
前記角部よりも前記ファンの回転方向の後ろ側にのみ設けられ、前記側壁から前記熱交換器に向けて張出す単数または複数の立ち壁である、
ことを特徴とする空調用室内ユニット。
【請求項５】
前記立ち壁は、前記熱交換器に対向する面が傾斜している、
請求項４に記載の空調用室内ユニット。
【請求項６】
前記立ち壁は、前記角部に対向する面が傾斜している、
請求項４または５に記載の空調用室内ユニット。
【請求項７】
前記角部の不均一な圧力場を前記ファンが通過することで発生した圧力変動が、前記角部から前記吹出口に向けて拡がるのを遮ることで、ＮＺ音の発生を抑制する、
請求項４〜請求項６のいずれか一項に記載の空調用室内ユニット。
【発明の詳細な説明】
【技術分野】
【０００１】
本発明は、本体ケーシングが天井面内に埋設される空調用室内ユニットに関する。
【背景技術】
【０００２】
従来の空調用室内ユニット１００は、図１２に示されるように、ケーシング１０１内の収容空間Ｓにモータ１０２で駆動するターボファン１０３が中央部に配置されると共に、その周囲に空気を加熱または冷却する室内熱交換器１０４が配置され、室内の空気を吸込む吸込口１０５と、吸込んだ空気をターボファン１０３に導くベルマウス１０６と、熱交換した空気を排出する吹出口１０７と、を備えている。
室内の空気は、吸込口１０５からケーシング１０１内に流入し、ベルマウス１０６を通ってモータ１０２により駆動するターボファン１０３に導かれ、このターボファン１０３により昇圧され、室内熱交換器１０４を通過することで加熱または冷却され、所望の温度に調節されてから吹出口１０７を通って室内に戻される。なお、図中の白抜き矢印は、空気の流れを示している。
【０００３】
この空調用室内ユニット１００において、ターボファン１０３の羽根枚数と回転数の積とその整数倍を周波数とするＮＺ音（Ｎ：回転数、Ｚ：羽根枚数）が発生することが知られている。
ＮＺ音を抑制する技術として、例えば、特許文献１に記載された空気調和機が知られている。この空気調和機は、箱状のユニット本体内に遠心ファンを設けると共に、この遠心ファンの外周を囲むように熱交換器を設けている。特許文献１は、この熱交換器の内面に遠心ファンからの風の流れを整流する整流板を突設し、この整流板の上下方向のいずれか一方の端部を他方の端部よりも遠心ファンの送風方向下流側に位置するように配設したものである。
【先行技術文献】
【特許文献】
【０００４】
【特許文献１】特開２００３−２６９７３８号公報
【発明の概要】
【発明が解決しようとする課題】
【０００５】
特許文献１が開示する技術は、ＮＺ音を抑制する一定の効果を奏するものの、ＮＺ音の発生要因は明確となっていないものも含め多義に亘るために、ＮＺ音を根絶するのは容易ではない。
本発明は、このような課題に基づいてなされたもので、ＮＺ音の新たな発生要因を見出すとともに、この要因に対応してＮＺ音を抑制できる空調用室内ユニットを提供することを目的とする。
【課題を解決するための手段】
【０００６】
一般に矩形の筐体で構成さるケーシング１０１は、その角部において、吹出口１０７が途切れたり、室内熱交換器１０４の配管スペースになっていて閉塞しているなどして、回転するターボファン１０３の羽根車の周方向に対して不連続な特異な点となっている。本発明者等はこのことがＮＺ音の発生要因の一つであり、角部の不均一な圧力場を羽根２２ａが通過することで発生するＮＺ音の周波数を持つ圧力変動が吹出口１０７を介して室内の耳障りな騒音となることを確認した。特許文献１も含め、これまで知りうるＮＺ音の抑制手法では、この角部で発生する圧力変動に伴うＮＺ音を抑制する効果は得られていない。これに対して本発明者は、不均一な圧力場を羽根２２ａが通過することによる羽根２２ａにとっての周囲の圧力変化を緩和する部材を角部に設けることで当該要因によるＮＺ音を抑制できることを知見し、以下説明する本発明の空調用室内ユニットを提供するものである。
【０００７】
本発明の空調用室内ユニットは、ケーシングと、ファンと、熱交換器と、を備える。
ケーシングは、上壁と側壁により区画された収容空間を有するとともに、収容空間に空気が流入する吸込口と、熱交換された空気を排出する吹出口と、を有する。
ファンは、ケーシングの収容空間に配置され、吸込口から吸込まれた空気を昇圧して送り出す。
熱交換器は、ファンの外周側に配置されると共にファンにより送り出された空気を熱交換することで加熱または冷却する。
本発明の空調用室内ユニットは、ケーシングの側壁が熱交換器を取り囲むように矩形に形成されることで４つの角部を有しており、少なくとも１つの角部に、圧力変化緩和部材が設けられる、ことを特徴とする。
【０００８】
本発明における圧力変化緩和部材としては、第１形態及び第２形態の少なくとも２つの形態を含む。
第１形態による圧力変化緩和部材は、角部を埋める傾斜体からなる。この傾斜体は、熱交換器に対向する面の面積が、上壁から離れるのにしたがって小さくなる。この傾斜体は、角部のみに設けられる。
第１形態は、直角またはそれに近い角で側壁の向きが変わる角部の角度（以下、角部の段差、という）を緩やかにすることで、角部で発生する羽根にとっての圧力変化の程度を緩和、つまり小さくする。しかも、熱交換器に対向する面の面積が、上壁から離れるのにしたがって小さくすることで、傾斜体が吹出口を塞がないようにして、圧力損失を増やすことなくＮＺ音の発生を抑制する。
【０００９】
第２形態による圧力変化緩和部材は、角部よりもファンの回転方向の後ろ側のみに設けられ、側壁から熱交換器に向けて張り出す単数または複数の立ち壁からなる。
第２形態は、角部の不均一な圧力場を羽根が通過することで発生した圧力変動が角部から吹出口に向けて拡がるのを遮ることで、ＮＺ音の発生を抑制する。
【００１０】
第２形態による立ち壁は、熱交換器に対向する面を傾斜させることができる。そうすると、ファンから与えられる圧力波が立ち壁の当該傾斜面に到達するタイミングがずれるので、圧力波が増幅するのを抑えることができる。
また、第２形態による立ち壁は、角部に対向する面を傾斜させることができる。そうすると、角部で反射した圧力波が立ち壁の当該傾斜面に到達するタイミングがずれるので、圧力波が増幅するのを抑えることができる。
【発明の効果】
【００１１】
本発明の空調用室内ユニットによると、少なくとも１つの角部に圧力変化緩和部材が設けられることにより、角部の不均一な圧力場をなだらかにし、羽根にとっての圧力変化を緩和することで、ＮＺ音を抑制できる。
【図面の簡単な説明】
【００１２】
【図１】本実施の形態における天井埋込型空気調和機の構成を示す図である。
【図２】第１実施形態におけるケーシングを示し、実際に天井に埋め込まれる状態と上下を反転させて示す斜視図である。
【図３】第１実施形態における空調用室内ユニットの一つの角部近傍を示す拡大平面図である。
【図４】第１実施形態におけるケーシングの一つの角部近傍を示し、ケーシングの収容空間側から視た拡大側面図である。
【図５】第１実施形態におけるケーシングの変形例を示し、実際に天井に埋め込まれる状態と上下を反転させた斜視図である。
【図６】第２実施形態におけるケーシングを示し、実際に天井に埋め込まれる状態と上下を反転させた斜視図である。
【図７】第２実施形態におけるケーシングの変形例に関し、（ａ）は要部拡大斜視図を示し、（ｂ）は当該変形例の効果を示すグラフ、（ｃ）は同位相の圧力波を加算する例を示すグラフである。
【図８】第２実施形態におけるケーシングの他の変形例を示し、実際に天井に埋め込まれる状態と上下を反転させた斜視図である。
【図９】図８に示す第２実施形態におけるケーシングの変形例を示す要部拡大斜視図である。
【図１０】図８に示す第２実施形態におけるケーシングの変形例を示す要部拡大斜視図である。
【図１１】実施形態によるＮＺ音低減の効果を示すグラフであり、（ａ）は第１実施形態による効果を、（ｂ）は第２実施形態による効果を示す。
【図１２】天井埋込型空気調和機の一般的な構成例を示す縦断面図である。
【発明を実施するための形態】
【００１３】
［第１実施形態］
以下、添付する図１〜図５に示すこの発明の第１実施形態を詳細に説明する。
図１に示すように、天井埋込型空気調和機１０は、空調用室内ユニット１１と、空調用室外ユニット１２と、冷媒配管１３と、を主な要素として備えている。空調用室外ユニット１２は、図示を省略するが、冷媒を圧縮するための圧縮機と、冷媒と室外の空気と熱交換を行う室外熱交換器と、室外の空気を室外熱交換器に吹き付ける室外ファンと、を備えている。冷媒配管１３は、空調用室内ユニット１１及び空調用室外ユニット１２の間で冷媒を循環できるように両者間に接続されている。
【００１４】
空調用室内ユニット１１は、図１〜図４に示すように、ケーシング２１と、このケーシング２１の収容空間Ｓの内部に配置されるモータ（図示省略）と、モータにより回転するターボファン２２と、室内の空気がケーシング２１内に流入する吸込口２３と、空気を吸込口２３からターボファン２２に導くベルマウス２４と、空気を加熱または冷却する室内熱交換器２５と、室内熱交換器２５を通過する過程で熱交換された空気をケーシング２１内から室内に流出させる吹出口２６と、を主たる要素として備えている。
【００１５】
ケーシング２１は、図２に示すように一方端が開口する箱状の形態をなしており、室内の天井よりも上側に埋め込まれる。ケーシング２１は、その上壁２１ａと側壁２１ｂで区画される収容空間Ｓに前述したモータ、ターボファン２２、ベルマウス２４、室内熱交換器２５等を収容する。
ケーシング２１は、上壁２１ａと側壁２１ｂとを有している。側壁２１ｂは、上壁２１ａに対して略垂直に立ち上がっている。上壁２１ａ及び側壁２１ｂは、例えば、外側に配置される鉄板からなる強度構造部と、この強度構造部の内側に固定される発泡材などからなる断熱部と、から構成することが好ましい。なお、上壁２１ａの内周面側を便宜上天面２１ａと呼ぶことがある。
【００１６】
モータは、天面２１ａの平面方向の略中央に固定されており、略鉛直方向に向けて延出されるその主軸にターボファン２２が固定される。このターボファン２２は、よく知られているように、モータの主軸に固定された主板と、この主板に対して下方に対向するシュラウドとを備え、主板とシュラウドとの間には周方向に沿って固定される複数の羽根２２ａが配設されている。
【００１７】
ケーシング２１は、下方（図２では上方）が開口部となっており、この開口部に天井カバー２７が天井とほぼ水平をなすように取付けられている。この天井カバー２７は中央部分が開口されており、開口よりも外側の天井カバー２７に４つの吹出口２６が形成されている。また、天井カバー２７の開口に格子状の吸込みグリル２８が固定される。
【００１８】
ベルマウス２４は、天井カバー２７の上部に固定され、吸込みグリル２８の上方であって、ターボファン２２の下方に配置されている。また、ベルマウス２４は、上面部にモータや吹出口２６に設けられた図示しないルーバーなどを制御する電子機器を収容する部分を備えている。
【００１９】
室内熱交換器２５は、よく知られているように、所定隙間をもって積層された複数のフィンを複数の伝熱管が貫通するように配置されて構成され、本実施形態では、ケーシング２１の形状に合わせて矩形をなしている。この室内熱交換器２５は、図３に示すように、ターボファン２２の外側であって、ケーシング２１における側壁２１ｂの内側に配置され、天面２１ａの下面に固定される。
【００２０】
ここで、ケーシング２１の側壁２１ｂは平面視して矩形状をなす。この側壁２１ｂは、４つの直線部２１ｃと、この４つの直線部２１ｃを繋ぐ角部２１ｄ、２１ｅと、を備えている。
図３に示すように、ケーシング２１の角部２１ｅの内側に室内熱交換器２５の端部が進入するように仕切板４２が固定されることで、収容部４３が区画されており、この収容部４３に室内熱交換器２５の伝熱管に冷媒（熱交換媒体）を給排する冷媒配管１３の端部が収容される。
【００２１】
上述した空調用室内ユニット１１は、ターボファン２２が回転することで、室内の空気が吸込口２３からケーシング２１の内部に流入し、ターボファン２２を通って昇圧された後に室内熱交換器２５に至る。ここで、昇圧された空気は、ターボファン２２と室内熱交換器２５との空間部を周方向に流れ、室内熱交換器２５を通過するときに内部を流れる冷媒と熱交換された後に側壁２１ｂに至り、その後各吹出口２６から室内に供給される。なお、ターボファン２２は反時計回りに回転する。
【００２２】
ところが、ターボファン２２の回転によって昇圧するとき、側壁２１ｂに繋がる吹出し口２６は角部２１ｄ、２１ｅで途切れており、特に角部２１ｅの内側には仕切板４２がターボファン２２に接近して設置されているため、空気の圧力が高くなりやすい。不均一な空気の圧力場は、ＮＺ音の発生要因となる。
そこで、空調用室内ユニット１１では、ターボファン２２から室内熱交換器２５を介した側壁２１ｂの間の空間部のターボファン２２吐出側周方向の空気の羽根２２ａにとっての圧力変化を緩和する圧力変化緩和部材を設ける。本実施形態では、この圧力変化緩和部材として、ケーシング２１における角部２１ｅを傾斜体２９で埋めている。この傾斜体２９は、室内熱交換器２５と側壁２１ｂの間に配置されることになる。なお、ここでは角部２１ｅについて説明するが、他の角部２１ｄに傾斜体２９を設けることができることは言うまでもない。
【００２３】
傾斜体２９は、図２〜図４に示すように、三角錐状の形態をなしており、室内熱交換器２５に対向する傾斜面２９ａを備えている。傾斜面２９ａは、その底辺２９ｂ（三角形の底辺）が上壁（天面）２１ａに接しており、上壁２１ａから離れるのにしたがって、面積が小さくなる。この例では、当該底辺に対向する頂点２９ｃが側壁２１ｂの下端縁に近接している。
以上の傾斜体２９を設けることで、角部２１ｅの段差が緩やかになり、仕切板４２からケーシング２１の直線部２１ｃにかけてターボファン２２吐出側周方向に発生する羽根２２ａにとっての圧力の変化を緩和、つまり小さくすることができる。
【００２４】
そして、空調用室内ユニット１１においては、室内の空気は、モータにより回転駆動するターボファン２２の働きにより、吸込口２３からケーシング２１の内部に流入する。この吸込口２３から流入した空気は、ベルマウス２４によりターボファン２２の内部に導かれ、昇圧される。つまり、複数の羽根２２ａにより、ここを通過した空気にエネルギが与えられる。
【００２５】
ターボファン２２により昇圧されることで、エネルギが高められた空気は、室内熱交換器２５に至る。そして、この空気は、ターボファン２２と室内熱交換器２５との間に周方向に沿って形成された空間部を旋回しながら、室内熱交換器２５を通過し、ここで室内熱交換器２５の内部の冷媒と熱交換する。室内熱交換器２５を通過した空気は、室内熱交換器２５のフィンに沿って外側に流れ、さらに、側壁２１ｂに沿って鉛直方向に流れの向きを変え、吹出口２６から室内に供給される。このとき、傾斜体２９は、ターボファン２２の吐出側の空気の羽根２２ａにとっての圧力変化を小さくできるので、ＮＺ音の発生が抑制される。また、吹出口２６は三角形状の傾斜面２９ａの頂点２９ｃ側に位置するので、吹出口２６を塞ぐことなく、かつ圧損を増やすことなくＮＺ音の発生を抑制できる。なお、この効果の一例を図１１（ａ）に示すが、３次のＮＺ音を低減できることが実験により確認された。
【００２６】
なお、以上の実施形態においては角部２１ｅに傾斜体２９を設けたが、設ける場所はここに限定されるものではない。例えば、他の３つの角部２１ｄのいずれか一つ又は全部に選択的に傾斜体２９を設けることができる。
また、傾斜体２９の形態はこれに限定されず、角部の段差を緩やかにすることで発生する羽根２２ａにとっての圧力変化を小さくする形態を本発明は広く採用することができる。
【００２７】
さらに、以上の実施形態では吹出口２６を４つ備える例を示しているが、吹出口を２つ備える空調用室内ユニットに本発明を適用できる。このユニットは、よく知られているように、各々が長めに設定された２つの吹出口が所定の間隔を隔てて平行に配置されている。図５に、これに適したケーシング１２１が示されている。このケーシング１２１は、４つの角部１２１ｄの全てに傾斜体１２９を設けている。この傾斜体１２９は、室内熱交換器２５に対向する傾斜面１２９ａが不定形をなしているが、いずれも天面１２１側から離れるのにしたがって面積が小さくなる点で傾斜体２９（傾斜面２９ａ）と同じである。
【００２８】
以上説明した第１実施形態では、傾斜体２９が側壁２１ｂに接している例を示しているが、側壁２１ｂと傾斜体２９の間に隙間があっても、傾斜体２９による効果を得ることができる。ただし、傾斜２９が側壁２１ｂに接している方が、傾斜体２９による効果は大きい。
また、傾斜体２９の室内熱交換器２５に対向する面は、平坦面に限らず、湾曲した面であっても、その効果を得ることができる。
さらに、傾斜体２９の仕様、例えば、天面２１ａ側における角部２１ｄ，２１ｅからの張出し寸法、傾斜体２９の上下方向の寸法、傾斜面の傾斜度合いは、傾斜体２９が設けられる空調用室内ユニット１１に応じて適宜定めればよい。
【００２９】
［第２実施形態］
以下、本発明による第２実施形態を説明する。なお、第２実施形態は、ケーシング２２１を除いて天井埋込型空気調和機１０の構成は第１実施形態と同じであるから、以下ではケーシング２２１を中心に説明する。また、第１実施形態のケーシング２１と同じ構成については第１実施形態と同じ符号を付している。
ケーシング２２１は、図６に示すように、角部２１ｅよりもターボファン２２の回転方向（反時計回り）の後ろ側に、立ち壁２２９を備える。この立ち壁２２９は、側壁２１ｂと天面２１ａに接し、側壁２１ｂから室内熱交換器２５に対向するケーシング２２１の内側に向けて張出している。また、立ち壁２２９は、天面２１ａから下方に向けて所定の位置まで延設している。立ち壁２２９は、ケーシング２２１の内側に対向する側面２２９ａと、側面２２９ａと側壁２１ｂとを繋ぐ一対の側面２２９ｂ，２２９ｃと、を備えている。側壁２２９ｂ，２２９ｃは角部２１ｄ、２１ｅに対向する。また、側壁２２９ａと側壁２２９ｂ、２２９ｃとは直交する。側面２２９ａは側壁２１ｂに対して傾斜している。
【００３０】
第２実施形態は、図６に示すように、角部の圧力不均一場をターボファン２２の羽根２２ａが通過することで発生した音波となる圧力変動が吹出口２６へ伝播拡大するのを立ち壁２２９が遮断して、ＮＺ音を低減することができる。
本発明者の検討によると、ターボファン２２のある回転数における高次のＮＺ音の周波数と一致する四つの角部が腹となる音響振動モードの発生を抑えることにより、当該周波数と合致した高次のＮＺ音の増幅を抑制することができる。その実験例を図１１（ｂ）に示す。
【００３１】
立ち壁２２９は側面２２９ａが傾斜しているが、ターボファン２２から到達する圧力波Ｗ１が立ち壁２２９の側面２２９ａに衝突するタイミングを立ち壁２２９の高さ方向でずらすことで、圧力波が増幅するのを抑えることができる。また、立ち壁２２９が吹出口２６への空気の流れの抵抗となるのを抑えることができる。
【００３２】
以上の例では、ケーシング２１の内側に対向する側面２２９ａを傾斜面としているが、図７（ａ）に示すように、角部２１ｅに対向する側面２２９ｂを傾斜面とすることもできる。そうすることで、以下の効果を奏する。
側面２２９ｂは角部２１ｅからの距離が先端のＬ１と基端のＬ２とで相違している。したがって、ケーシング２１の角部２１ｅで反射して到達する圧力波が立ち壁２２９に衝突するタイミングがその高さ方向の位置によりずれることで、圧力波Ｗ２が増幅するのを抑えることができる。
また、圧力波Ｗ２が角部２１ｅと立ち壁２２９の間で往来する距離が異なるので位相がずれ、圧力波Ｗ２が増幅するのを避けることができる。このことが図７（ｂ）に示されている。つまり、側面２２９ａの基端側から位置Ａ、位置Ｂ及び位置Ｃにおける圧力波Ｗ２は、図７（ｂ）のように各々の位相がずれている。側面２２９ｂの基端から先端までの全体としての圧力波は（同図の「全体」）、位置Ａ、位置Ｂ及び位置Ｃにおける圧力波Ｗ２を加算したものとなるが、各々の圧力波Ｗ２の位相がずれているので、図７（ｃ）に示す同位相の圧力波を加算したものに比べて、小さくなる。
【００３３】
立ち壁２２９は、図８に示すように、１つの角部２１ｅに対して２つ（複数）設けることができる。
２つの立ち壁２２９を設ける場合も種々の形態を採用することができる。
例えば、図９に示すように２つの立ち壁２３０，２３１を設ける。立ち壁２３０は角部２１ｅの近くに配置され、立ち壁２３１は立ち壁２３０よりも角部２１ｅから遠くに配置される。そして、角部２１ｅから立ち壁２３０までの距離Ｌ３と、立ち壁２３０から立ち壁２３１までの距離Ｌ４と、は相違する（Ｌ３＜Ｌ４）。そうすることで、角部２１ｅから反射した圧力波Ｗ２が、角部２１ｅと立ち壁２３０の間と、角部２１ｅと立ち壁２３１の間で、行き来する距離が異なるためにお互いの位相がずれ、これら圧力波Ｗ２が増幅するのを抑えることができる。なお、角部２１ｅで反射した圧力波Ｗ２は、立ち壁２３０で遮られるが、回折されることにより、角部２１ｅと立ち壁２３１の間で行き来する。また、立ち壁２３０と立ち壁２３１の間においても、圧力波Ｗ２の行き来は生じるが、これも、角部２１ｅと立ち壁２３０の間、及び、角部２１ｅと立ち壁２３１の間、とは行き来する距離が異なるため、圧力波Ｗ２が増幅するのを抑えるのに寄与する。
【００３４】
図９に示す形態は、立ち壁２３０と立ち壁２３０の側壁２１から内側に突出する量（以下、単に突出量）が同じ例を示しているが、例えば図１０に示すように、２つの立ち壁２３２と立ち壁２３３の突出量を異ならせることもできる。そうすることにより、角部２１ｅから反射する圧力波が立ち壁２３３に直接到達されるので、上述した効果をより顕著に得ることができる。また、図１０の例では、立ち壁２３３は、角部２１ｅに対向する側面２３３ｂを傾斜面としているので、図７を用いて説明したように、圧力波が増幅するのを抑える効果も享受できる。
【００３５】
以上説明した第２実施形態では、立ち壁２２９（立ち壁３３０〜３３３も同様）が側壁２１ｂに接している例を示しているが、側壁２１ｂと立ち壁２２９の間に隙間があっても、立ち壁２２９による効果を得ることができる。ただし、立ち壁２２９が側壁２１ｂに接している方が、立ち壁２２９による効果は大きい。
また、以上説明した第２実施形態では、傾斜面としての側面２２９ｂは、上壁２１ａから離れるのにしたがって側壁２１ｂに近づくように傾斜しているが、傾斜がこれとは逆、つまり、上壁２１ａから離れるのにしたがって側壁２１ｂから遠くなるように傾斜していても、傾斜面による効果を同様に得ることができる。これは、角部２１ｅ，２１ｄに各々対向する側面２２９ｂ，２２９ｃについても同様である。
さらに、立ち壁２２９の仕様、例えば、立ち壁２２９の側壁２１ｂからの張り出し寸法、立ち壁２２９の上下方向の寸法、傾斜面の傾斜度合いは、立ち壁２２９が設けられる空調用室内ユニット１１に応じて適宜定めればよい。
これ以外にも、本発明の主旨を逸脱しない限り、上記実施の形態で挙げた構成を取捨選択したり、他の構成に適宜変更することが可能である。例えば、天井埋込型空気調和機１０はあくまで例示であり、変更を加えた空気調和機に本発明を適用できることは言うまでもない。また、吸音性能を有するプラスチックにより、角部２１ｄ、２１ｅを構成し、あるいは、傾斜体２９、立ち壁１２９を構成することは、本発明の効果をより顕著にするうえで有効である。
【符号の説明】
【００３６】
１０  天井埋込型空気調和機
１１  空調用室内ユニット
１２  空調用室外ユニット
１３  冷媒配管
２１，１２１，２２１  ケーシング
２１ａ  上壁（天面）
２１ｂ，１２１ｂ  側壁
２１ｄ，２１ｅ，１２１ｄ  角部
２２  ターボファン
２３  吸込口
２５  室内熱交換器
２６  吹出口
２９，１２９  傾斜体
２２９，２３０，２３１，２３２，２３３  立ち壁
２２９ａ，２２９ｂ，２２９ｃ，２３３ｂ  側面
【図１】
0006021314.tif 000002
【図２】
0006021314.tif 000003
【図３】
0006021314.tif 000004
【図４】
0006021314.tif 000005
【図５】
0006021314.tif 000006
【図６】
0006021314.tif 000007
【図７】
0006021314.tif 000008
【図８】
0006021314.tif 000009
【図９】
0006021314.tif 000010
【図１０】
0006021314.tif 000011
【図１１】
0006021314.tif 000012
【図１２】
0006021314.tif 000013